(57)【要約】【課題】  コストおよび手間をかけることなく税抜表示に対応するシステムに使用することができかつ総額表示に対応したラベルを印字することができるラベル印字装置、ラベル印字方法およびラベルを提供する。【解決手段】  ラベルのバーコードにおける部位ｃ２１には、商品の税抜金額の「２００」が印字される。この場合、バーコードは、税抜金額の「２００」を表している。また、ラベルの部位ｃ２には、商品の税込単価の「１０５」と商品の税込金額の「２１０」とが印字される。商品の税込金額は、商品の正味量の２００ｇと税込単価の１０５とにより算出される。この場合、ＣＰＵ１により税抜単価の１００に（１＋税率）で表される係数が乗算されることにより上記税込単価の１０５が算出される。【選択図】        図７
2005059429.tif 000002
【特許請求の範囲】
【請求項１】
ラベルを印字するラベル印字装置であって、
商品の価格に関する情報を価格情報として商品ごとに記憶する記憶手段と、
商品を特定する情報を商品情報として入力する入力手段と、
前記入力手段により入力された前記商品情報および前記記憶手段に記憶された前記価格情報に基づいて商品の税抜金額を表すバーコードおよび商品の税込金額をラベルに印字する印字手段とを備えたことを特徴とするラベル印字装置。
【請求項２】
前記印字手段は、商品の税込金額に関連する第１の付加情報をラベルに印字することを特徴とする請求項１記載のラベル印字装置。
【請求項３】
前記第１の付加情報は、商品の税込金額に対する税額を含むことを特徴とする請求項２記載のラベル印字装置。
【請求項４】
前記第１の付加情報は、商品の税抜金額を含むことを特徴とする請求項２または３記載のラベル印字装置。
【請求項５】
前記記憶手段は、前記価格情報として商品の単価を単価情報して記憶し、
前記印字手段は、前記入力手段により入力された前記商品情報、前記記憶手段に記憶された前記単価情報および商品の数量に基づいて商品の税抜金額および商品の税込金額を算出し、算出された商品の税抜金額を表すバーコードおよび商品の税込金額をラベルに印字することを特徴とする請求項１〜４のいずれかに記載のラベル印字装置。
【請求項６】
前記印字手段は、商品の税込単価を印字することを特徴とする請求項５記載のラベル印字装置。
【請求項７】
前記印字手段は、前記商品の税込単価に関連する第２の付加情報をラベルに印字することを特徴とする請求項６記載のラベル印字装置。
【請求項８】
前記第２の付加情報は、商品の税抜単価を含むことを特徴とする請求項７記載のラベル印字装置。
【請求項９】
前記第２の付加情報は、商品の税抜単価に対する税額を含むことを特徴とする請求項７または８記載のラベル印字装置。
【請求項１０】
前記印字手段は、商品の税抜定金額を表すバーコードおよび商品の税込定金額をラベルに印字することを特徴とする請求項１〜９のいずれかに記載のラベル印字装置。
【請求項１１】
印字モードとして第１のモードおよび第２のモードのいずれかを設定するモード設定手段と、
前記印字手段は、前記モード設定手段により第１のモードが設定されたときに商品の税抜金額を表すバーコードおよび商品の税込金額をラベルに印字し、前記モード設定手段により第２のモードが設定されたときに商品の税込金額を表すバーコードおよび商品の税込金額をラベルに印字することを特徴とする請求項１〜１０のいずれかに記載のラベル印字装置。
【請求項１２】
前記モード設定手段は、印字モードとして第３のモードをさらに設定し、
前記印字手段は、前記モード設定手段により第３のモードが設定されたときに商品の税抜金額を表すバーコードおよび商品の税抜金額をラベルに印することを特徴とする請求項１１記載のラベル印字装置。
【請求項１３】
ラベルを印字するラベル印字方法であって、
商品の価格に関する情報を価格情報として商品ごとに記憶するステップと、
商品を特定する商品情報の入力を受け付けるステップと、
前記入力された前記商品情報および前記記憶された前記価格情報に基づいて商品の税抜金額を表すバーコードおよび商品の税込金額をラベルに印字するステップとを備えたことを特徴とするラベル印字方法。
【請求項１４】
商品に付されるラベルであって、商品の税抜金額を表すバーコードおよび商品の税込金額が印字されたことを特徴とするラベル。
【請求項１５】
商品の税抜金額がさらに表示され、前記税込金額と前記税抜金額とは異なる色で表示されたことを特徴とする請求項１４記載のラベル印字装置。
【発明の詳細な説明】
【技術分野】
【０００１】
本発明は、種々のラベルを印字可能なラベル印字装置、ラベル印字方法およびラベルに関する。
【背景技術】
【０００２】
従来より、商品の販売価格を計算するのにキャッシュレジスタが用いられている。この場合、オペレータが入力装置の売上キーを使用して商品の売上げ金額の入力を行う。ここで、オペレータによる商品の売上げ金額の入力方法として、例えば、値付けラベルのバーコードから商品の金額（税抜金額）情報をキャッシュレジスタに接続されるバーコードリーダにて読み取る方法がある。その後、キャッシュレジスタにより商品の売上合計額と税額が計算され、客が支払う金額である税計算後金額が算出される（例えば、特許文献１参照）。
【特許文献１】特開平１１−１４４１５７号公報
【発明の開示】
【発明が解決しようとする課題】
【０００３】
法改正等によって、値付けラベルにおける金額情報を全て総額（税込金額）で表示する必要が生じた場合、商品を取り扱う各店舗は、バーコードから税抜金額を読み取って課税するという従来のキャッシュレジスタのシステムを変更することを強いられる。そのため、各店舗には多大なコストおよび手間がかかる。
【０００４】
本発明の目的は、コストおよび手間をかけることなく税抜表示に対応するシステムに使用することができかつ総額表示に対応したラベルを印字することができるラベル印字装置、ラベル印字方法およびラベルを提供することである。
【課題を解決するための手段】
【０００５】
本発明に係るラベル印字装置は、ラベルを印字するラベル印字装置であって、商品の価格に関する情報を価格情報として商品ごとに記憶する記憶手段と、商品を特定する情報を商品情報として入力する入力手段と、入力手段により入力された商品情報および記憶手段に記憶された価格情報に基づいて商品の税抜金額を表すバーコードおよび商品の税込金額をラベルに印字する印字手段とを備えたものである。
【０００６】
本発明に係るラベル印字装置においては、商品の価格に関する情報が価格情報として商品ごとに記憶手段に記憶される。商品を特定する情報が商品情報として入力手段により入力されると、入力された商品情報および記憶された価格情報に基づいて商品の税抜金額を表すバーコードおよび商品の税込金額が印字手段によりラベルに印字される。それにより、バーコードから商品の税抜金額を読み取ることができる。したがって、コストおよび手間をかけることなく、税抜表示に対応したシステムにおいて使用可能でかつ総額表示に対応したラベルを印字することができる。
【０００７】
印字手段は、商品の税込金額に関連する第１の付加情報をラベルに印字してもよい。それにより、商品の税込金額の詳細を容易に認識することができる。
【０００８】
第１の付加情報は、商品の税込金額に対する税額を含んでもよい。それにより、商品の税込金額のうちの税額を容易に認識することができる。
【０００９】
第１の付加情報は、商品の税抜金額を含んでもよい。それにより、商品の税込金額のうちの税抜金額を容易に認識することができる。
【００１０】
記憶手段は、価格情報として商品の単価を単価情報として記憶し、印字手段は、入力手段により入力された商品情報、記憶手段に記憶された単価情報および商品の数量に基づいて商品の税抜金額および商品の税込金額を算出し、算出された商品の税抜金額を表すバーコードおよび商品の税込金額をラベルに印字してもよい。
【００１１】
この場合、記憶手段に価格情報として商品の単価が単価情報として記憶され、入力された商品情報、記憶された単価情報および商品の数量に基づいて商品の税抜金額および商品の税込金額が算出され、算出された商品の税抜金額を表すバーコードおよび商品の税込金額が印字手段によりラベルに印字される。それにより、バーコードから商品の税抜単価を読み取ることができる。
【００１２】
印字手段は、商品の税込単価を印字してもよい。それにより、商品の税込単価を容易に認識することができる。
【００１３】
印字手段は、商品の税込単価に関連する第２の付加情報をラベルに印字してもよい。それにより、商品の税込単価の詳細を容易に認識することができる。
【００１４】
第２の付加情報は、商品の税抜単価を含んでもよい。それにより、商品の税込単価のうち税抜単価を容易に認識することができる。
【００１５】
第２の付加情報は、商品の税抜単価に対する税額を含んでもよい。それにより、商品の税込単価のうち税額を容易に認識することができる。
【００１６】
印字手段は、商品の税抜定金額を表すバーコードおよび商品の税込定金額をラベルに印字してもよい。それにより、商品の税込定金額を容易に認識することができる。
【００１７】
印字モードとして第１のモードおよび第２のモードのいずれかを設定するモード設定手段と、印字手段は、モード設定手段により第１のモードが設定されたときに商品の税抜金額を表すバーコードおよび商品の税込金額をラベルに印字し、モード設定手段により第２のモードが設定されたときに商品の税込金額を表すバーコードおよび商品の税込金額をラベルに印字してもよい。
【００１８】
この場合、コストおよび手間をかけることなく、税抜表示に対応したシステムにおいて使用可能でかつ総額表示に対応したラベルを印字することができるとともに、総額表示に対応したシステムにおいて使用可能なラベルを印字することができる。
【００１９】
モード設定手段は、印字モードとして第３のモードをさらに設定し、印字手段は、モード設定手段により第３のモードが設定されたときに商品の税抜金額を表すバーコードおよび商品の税抜金額をラベルに印してもよい。
【００２０】
この場合、コストおよび手間をかけることなく、税抜表示に対応したシステムにおいて使用可能でかつ総額表示に対応したラベルを印字することができるとともに、総額表示に対応したシステムにおいて使用可能なラベルを印字することができ、さらに税抜表示に対応したシステムに使用可能でかつ税抜表示に対応したラベルを印字することができる。
【００２１】
本発明に係るラベル印字方法は、ラベルを印字するラベル印字方法であって、商品の価格に関する情報を価格情報として商品ごとに記憶するステップと、商品を特定する商品情報の入力を受け付けるステップと、入力された商品情報および記憶された価格情報に基づいて商品の税抜金額を表すバーコードおよび商品の税込金額をラベルに印字するステップとを備えたものである。
【００２２】
本発明に係るラベル印字方法においては、商品の価格に関する情報が価格情報として商品ごとに記憶される。商品を特定する情報が商品情報として入力されると、入力された商品情報および記憶された価格情報に基づいて商品の税抜金額を表すバーコードおよび商品の税込金額がラベルに印字される。それにより、バーコードから商品の税抜金額を読み取ることができる。したがって、コストおよび手間をかけることなく、税抜表示に対応したシステムにおいて使用可能でかつ総額表示に対応したラベルを印字することができる。
【００２３】
本発明に係る印字ラベルは、商品に付されるラベルであって、商品の税抜金額を表すバーコードおよび商品の税込金額が印字されたものである。
【００２４】
本発明に係るラベルによれば、バーコードから商品の税抜金額を読み取ることができるとともに、総額表示に対応した表示が行われる。したがって、コストおよび手間をかけることなく、税抜表示に対応したシステムにおいて使用可能となる。
【００２５】
商品の税抜金額がさらに表示され、税込金額と税抜金額とは異なる色で表示してもよい。
【００２６】
この場合、税抜金額と税込金額とが異なる色で表示されるので、使用者は税抜金額と税込金額とを視覚的に容易に判別することができる。
【発明の効果】
【００２７】
本発明に係るラベル印字装置によれば、バーコードから商品の税抜金額を読み取ることができる。それにより、コストおよび手間をかけることなく、税抜表示に対応したシステムにおいて使用可能でかつ総額表示に対応したラベルを印字することができる。
【発明を実施するための最良の形態】
【００２８】
以下、本発明の実施の形態について、図面を参照しながら説明する。
【００２９】
図１は本発明の一実施の形態におけるラベル印字装置の模式的斜視図であり、（ａ）は前面側から見たラベル印字装置を示し、（ｂ）は背面側から見たラベル印字装置を示す。
【００３０】
図１（ａ）に示すように、ラベル印字装置１００は、前面側に入力部５および印字部６を備え、上面に計量部４を備える。また、図１（ｂ）に示すように、背面側にディスプレイ３を備える。入力部５は、入力スイッチ部５５、操作タッチパネル５６および結果表示部５７を有する。
【００３１】
図２は図１のラベル印字装置１００の構成を示すブロック図である。
【００３２】
図２に示すように、ラベル印字装置１００は、ＣＰＵ（中央演算処理装置）１、ＲＯＭ（リードオンリメモリ）２、ディスプレイ３、計量部４、入力部５、印字部６、外部記憶装置７、ＲＡＭ（ランダムアクセスメモリ）８、通信制御装置９、記録媒体駆動装置１０および記録媒体１８を備える。また、入力部５は、入力スイッチ部５５、操作タッチパネル５６および結果表示部５７を備える。
【００３３】
ラベル印字装置１００のＲＯＭ２にはシステムプログラムが記憶される。記録媒体駆動装置１０は、ＣＤ−ＲＯＭドライブ、フロッピィディスクドライブ等からなり、ＣＤ−ＲＯＭ、フロッピィディスク等の記録媒体１８に対してデータの読み書きを行う。記録媒体１８には、ラベル印字プログラムが記録されている。外部記憶装置７は、ハードディスク装置等からなり、記録媒体駆動装置１０を介して記録媒体１８から読み込まれたラベル印字プログラムを記憶する。外部記憶装置７は商品マスタテーブル７ａを記憶する。
【００３４】
さらに、外部記憶装置７の商品マスタテーブル７ａには、商品に関する情報の集合である商品マスタが格納され、商品マスタには、商品名、商品コード、税抜単価、税込単価、税率および端数処理の種類などが含まれる。
【００３５】
ＣＰＵ１は、外部記憶装置７に記憶されたラベル印字プログラムをＲＡＭ８上で実行する。そして、ＣＰＵ１は、ＲＡＭ８上のラベル印字プログラムに基づき、図１に示す入力部５の入力スイッチ部５５、操作タッチパネル５６または計量部４により与えられる信号に応じて入力部５の結果表示部５７、ディスプレイ３および印字部６の制御を行う。
【００３６】
なお、ラベル印字プログラムを記録する記録媒体１８として、ＲＯＭ等の半導体メモリ、ハードディスク等の種々の記録媒体を用いることができる。また、ラベル印字プログラムを通信回線から通信制御装置９を介して外部記憶装置７にダウンロードし、ＲＡＭ８上で実行してもよい。
【００３７】
図３は入力部５の入力スイッチ部５５の詳細図である。
【００３８】
図３に示すように、入力スイッチ部５５は、ラベル印字切換スイッチ５５ａ、金額印字切換スイッチ５５ｂ、単価印字切換スイッチ５５ｃ、印字スイッチ５５ｄ、定金額スイッチ５５ｅ、呼出スイッチ５５ｆおよびテンキー５５ｇを含む。
【００３９】
ラベル印字切換スイッチ５５ａは、後述するモードＣ１，Ｃ２，Ｃ３のうちいずれかの印字モードに設定するときに作業者により押下される。金額印字切換スイッチ５５ｂは、後述するモードＥ１，Ｅ２，Ｅ３のうちいずれかの印字モードに設定するときに作業者により押下される。単価印字切換スイッチ５５ｃは、後述するモードＤ１，Ｄ２，Ｄ３のうちいずれかの印字モードに設定するときに作業者により押下される。
【００４０】
ここで、モードＣ１とは、ラベルに税抜単価および税抜金額を印字するときに設定されるモードであり、モードＣ２とは、ラベルに税抜単価および税込金額を印字するときに設定されるモードであり、モードＣ３とは、ラベルに税込単価および税込金額を印字するときに設定されるモードである。モードＤ１〜Ｄ３およびモードＥ１〜Ｅ３の詳細については後述する。
【００４１】
なお、税抜単価とは、税金を含まない商品のある基準単位（本実施の形態では、商品の重量１００ｇ）の価格であり、税抜金額とは、税金を含まない商品の販売価格である。また、税込単価とは、商品のある基準単位に課税した価格であり、税込金額とは、商品の課税した販売価格である。
【００４２】
印字スイッチ５５ｄは、ラベルを印字するときに作業者により押下される。また、定金額スイッチ５５ｅは、ラベルに定金額（例えば、１０５０円、９８０円）を印字するときに作業者により押下され、押下されることにより印字モードが定金額モードに設定される。
【００４３】
また、呼出スイッチ５５ｆは、他の作業者を呼び出したいときに作業者により押下される。テンキー５５ｇは、ラベル印字切換スイッチ５５ａ、金額印字切換スイッチ５５ｂ、単価印字切換スイッチ５５ｃおよび定金額スイッチ５５ｅと組み合わせて用いられる。
【００４４】
なお、上述の印字モードは、モードＣ１〜Ｃ３のうちの一のモードと、モードＥ１〜Ｅ３のうちの一のモードと、モードＤ１〜Ｄ３および定金額モードのうちの一のモードとの組み合わせによりなる。詳細については後述する。
【００４５】
図４は商品マスタテーブル７ａに格納されているモードＣ１用の商品マスタの一例を示す説明図である。この商品マスタに含まれる各商品情報は、印字モードがモードＣ１に設定されたときにＣＰＵ１により読み込まれる。
【００４６】
図４に示す商品マスタには、商品名、商品コード、税抜単価および端数処理の種類等が含まれる。端数処理の種類には、切捨て、切上げおよび四捨五入があり、選択的に設定される。
【００４７】
図５は商品マスタテーブル７ａに格納されているモードＣ２用の商品マスタの一例を示す説明図である。この商品マスタに含まれる各商品情報は、印字モードがモードＣ２に設定されたときにＣＰＵ１により読み込まれる。
【００４８】
図５に示す商品マスタには、商品名、商品コード、税抜単価、税率および端数処理の種類等が含まれる。
【００４９】
図６は商品マスタテーブル７ａに格納されているモードＣ３用の商品マスタの一例を示す説明図である。この商品マスタに含まれる各商品情報は、印字モードがモードＣ３に設定されたときにＣＰＵ１により読み込まれる。
【００５０】
図６に示す商品マスタには、商品名、商品コード、税込単価および端数処理の種類等が含まれる。
【００５１】
次に、本実施の形態に係るラベル印字装置１００により印字される種々のラベルについて説明する。
【００５２】
図７はラベル印字装置１００により印字されるラベルの例を示す図である。図７では、一例として、商品の税抜金額が２００円であるときのラベルの印字例について説明する。
【００５３】
図７（ａ）に示すラベルは、印字モードがモードＣ１に設定されたときに印字されるラベルである。図７（ｂ）に示すラベルは、印字モードがモードＣ２に設定されたときに印字されるラベルである。図７（ｃ）に示すラベルは、印字モードがモードＣ３に設定されたときに印字されるラベルである。
【００５４】
図７（ａ）に示すように、ラベルのバーコードにおける部位ｃ１１には、商品の税抜金額の「２００」が印字される。この場合、バーコードは、税抜金額の「２００」を表している。また、ラベルの部位ｃ１には、商品の税抜単価の「１００」と商品の税抜金額の「２００」とが印字される。商品の税抜金額は、商品の正味量の２００ｇと上記税抜単価の１００とにより算出される。
【００５５】
図７（ｂ）に示すように、ラベルのバーコードにおける部位ｃ２１には、商品の税抜金額の「２００」が印字される。この場合、バーコードは、税抜金額の「２００」を表している。また、ラベルの部位ｃ２には、商品の税込単価の「１０５」と商品の税込金額の「２１０」とが印字される。商品の税込金額は、商品の正味量の２００ｇと税込単価の１０５とにより算出される。この場合、ＣＰＵ１により税抜単価の１００に（１＋税率）で表される係数が乗算されることにより上記税込単価の１０５が算出される。この場合、上記税率は０．０５とする。
【００５６】
図７（ｃ）に示すように、ラベルのバーコードにおける部位ｃ３１には、商品の税込金額の「２１０」が印字される。この場合、バーコードは、税込金額の「２１０」を表している。また、ラベルの部位ｃ３には、商品の税込単価の「１０５」と商品の税込金額の「２１０」とが印字される。商品の税込金額は、商品の正味量の２００ｇと税込単価の１０５とにより算出される。
【００５７】
図８は印字モードがモードＥ１に設定されかつモードＤ１〜Ｄ３および定金額モードのうちいずれかが設定されたときに印字されるラベルの例を示す図である。図９は印字モードがモードＥ２に設定されかつモードＤ１〜Ｄ３および定金額モードのうちいずれかが設定されたときに印字されるラベルの例を示す図である。図１０は印字モードがモードＥ３に設定されかつモードＤ１〜Ｄ３および定金額モードのうちいずれかが設定されたときに印字されるラベルの例を示す図である。
【００５８】
ここで、印字モードがモードＥ１に設定されたときには、図８（ａ）〜（ｄ）に示すように、それぞれのラベルの部位ｅ１には、商品の税込金額のみ印字される。印字モードがモードＥ２に設定されたときには、図９（ａ）〜（ｄ）に示すように、それぞれのラベルの部位ｅ２には、商品の税込金額およびうち税が印字される。印字モードがモードＥ３に設定されたときには、図１０（ａ）〜（ｄ）に示すように、それぞれのラベルの部位ｅ３には、商品の税込金額および商品の本体価格（税抜金額）が印字される。
【００５９】
図８（ａ）、図９（ａ）および図１０（ａ）に示すように、印字モードがモードＤ１に設定されたときには、それぞれのラベルの部位ｄ１には何も印字されない。
【００６０】
また、図８（ｂ）、図９（ｂ）および図１０（ｂ）に示すように、印字モードがモードＤ２に設定されたときには、それぞれのラベルの部位ｄ２には本体単価（税抜単価）が印字される。
【００６１】
また、図８（ｃ）、図９（ｃ）および図１０（ｃ）に示すように、印字モードがモードＤ３に設定されたときには、それぞれのラベルの部位ｄ３には税込単価に対するうち税が印字される。
【００６２】
さらに、図８（ｄ）、図９（ｄ）および図１０（ｄ）に示すように、印字モードが定金額モードに設定されたときには、それぞれのラベルの部位ｔには何も印字されない。
【００６３】
なお、本実施の形態では、図１０（ｂ）に示されるようなラベルにおいて、税込金額、税抜金額、税込単価および税抜単価が表記される場合、例えば税抜金額および税抜単価は赤色で印字され、税込金額および税込単価は黒色で印字される。それにより、商品を買う客は、税抜単価と税込単価との判別および税抜金額と税込金額との判別を視覚的に行い易くなる。
【００６４】
図１１はＣＰＵ１の第１の初期設定処理を示すフローチャートである。
【００６５】
図１１に示すように、ＣＰＵ１は、図３のラベル印字切換スイッチ５５ａが押下されたか否かを判別する（ステップＳ１）。ラベル印字切換スイッチ５５ａが押下された場合、ＣＰＵ１は、テンキー５５ｇの「１」が押下されたか否かを判別する（ステップＳ２）。ラベル印字切換スイッチ５５ａが押下されていない場合、ＣＰＵ１は、他の処理を行い（ステップＳ５）、ステップＳ１に戻る。
【００６６】
ステップＳ２において、テンキー５５ｇの「１」が押下された場合、ＣＰＵ１は、印字モードをモードＣ１に設定する（ステップＳ６）。テンキー５５ｇの「１」が押下されていない場合、ＣＰＵ１は、テンキー５５ｇの「２」が押下されたか否かを判別する（ステップＳ３）。
【００６７】
ステップＳ３において、テンキー５５ｇの「２」が押下された場合、ＣＰＵ１は、印字モードをモードＣ２に設定する（ステップＳ７）。テンキー５５ｇの「２」が押下されていない場合、ＣＰＵ１は、テンキー５５ｇの「３」が押下されたか否かを判別する（ステップＳ４）。
【００６８】
ステップＳ４において、テンキー５５ｇの「３」が押下された場合、ＣＰＵ１は、印字モードをモードＣ３に設定する（ステップＳ８）。テンキー５５ｇの「３」が押下されていない場合、ステップＳ２に戻り、上記の処理を繰り返す。
【００６９】
図１２はＣＰＵ１の第２の初期設定処理を示すフローチャートである。なお、図１１のステップＳ６において、印字モードがモードＣ１に設定された場合には第２の初期設定処理は実施されない。
【００７０】
図１２に示すように、ＣＰＵ１は、図３の金額印字切換スイッチ５５ｂが押下されたか否かを判別する（ステップＳ２１）。金額印字切換スイッチ５５ｂが押下された場合、ＣＰＵ１は、テンキー５５ｇの「１」が押下されたか否かを判別する（ステップＳ２２）。金額印字切換スイッチ５５ｂが押下されていない場合、ＣＰＵ１は、他の処理を行い（ステップＳ２５）、ステップＳ２１に戻る。
【００７１】
ステップＳ２２において、テンキー５５ｇの「１」が押下された場合、ＣＰＵ１は、印字モードをモードＥ１に設定する（ステップＳ２６）。テンキー５５ｇの「１」が押下されていない場合、ＣＰＵ１は、テンキー５５ｇの「２」が押下されたか否かを判別する（ステップＳ２３）。
【００７２】
ステップＳ２３において、テンキー５５ｇの「２」が押下された場合、ＣＰＵ１は、印字モードをモードＥ２に設定する（ステップＳ２７）。テンキー５５ｇの「２」が押下されていない場合、ＣＰＵ１は、テンキー５５ｇの「３」が押下されたか否かを判別する（ステップＳ２４）。
【００７３】
ステップＳ２４において、テンキー５５ｇの「３」が押下された場合、ＣＰＵ１は、印字モードをモードＥ３に設定する（ステップＳ２８）。テンキー５５ｇの「３」が押下されていない場合、ステップＳ２２に戻り、上記の処理を繰り返す。
【００７４】
図１３はＣＰＵ１の第３の初期設定処理を示すフローチャートである。なお、図１１のステップＳ６において、印字モードがモードＣ１に設定された場合には第３の初期設定処理は実施されない。
【００７５】
図１３に示すように、ＣＰＵ１は、図３の単価印字切換スイッチ５５ｃが押下されたか否かを判別する（ステップＳ４１）。単価印字切換スイッチ５５ｃが押下された場合、ＣＰＵ１は、テンキー５５ｇの「１」が押下されたか否かを判別する（ステップＳ４２）。単価印字切換スイッチ５５ｃが押下されていない場合、ＣＰＵ１は、他の処理を行い（ステップＳ４５）、ステップＳ４１に戻る。
【００７６】
ステップＳ４２において、テンキー５５ｇの「１」が押下された場合、ＣＰＵ１は、印字モードをモードＤ１に設定する（ステップＳ４６）。テンキー５５ｇの「１」が押下されていない場合、ＣＰＵ１は、テンキー５５ｇの「２」が押下されたか否かを判別する（ステップＳ４３）。
【００７７】
ステップＳ４３において、テンキー５５ｇの「２」が押下された場合、ＣＰＵ１は、印字モードをモードＤ２に設定する（ステップＳ４７）。テンキー５５ｇの「２」が押下されていない場合、ＣＰＵ１は、テンキー５５ｇの「３」が押下されたか否かを判別する（ステップＳ４４）。
【００７８】
ステップＳ４４において、テンキー５５ｇの「３」が押下された場合、ＣＰＵ１は、印字モードをモードＤ３に設定する（ステップＳ４８）。テンキー５５ｇの「３」が押下されていない場合、ステップＳ４２に戻り、上記の処理を繰り返す。
【００７９】
図１４および図１５はＣＰＵ１のラベル印字処理を示すフローチャートである。
【００８０】
図１４に示すように、ＣＰＵ１は、計量部４から商品重量のデータを受信する（ステップＳ６１）。
【００８１】
次に、ＣＰＵ１は、商品コードが入力されたか否かを判別する（ステップＳ６２）。商品コードは、入力部５またはバーコードリーダ（図示せず）により入力される。商品コードが入力された場合、ＣＰＵ１は、後述の金額計算処理を行う（ステップＳ６３）。
【００８２】
次に、ＣＰＵ１は、金額計算処理の結果を結果表示部５７に表示する（ステップＳ６４）。
【００８３】
続いて、ＣＰＵ１は、印字スイッチ５５ｄが押下されたか否かを判別する（ステップＳ６５）。印字スイッチ５５ｄが押下された場合、ＣＰＵ１は、税込金額が税抜金額よりも大きいか否かを判別する（ステップＳ６６）。印字スイッチ５５ｄが押下されていない場合、ＣＰＵ１は、他のスイッチが押下されたか否かを判別する（ステップＳ６８）。他のスイッチが押下された場合、ＣＰＵ１は、他の処理を行う（ステップＳ６９）。他のスイッチが押下されていない場合、ＣＰＵ１は、印字スイッチ５５ｄが押下されるまで待機する。
【００８４】
ステップＳ６６において、税込金額が税抜金額よりも大きい場合、ＣＰＵ１は、印字部６にラベルを印字するように指示する（ステップＳ６７）。税込金額が税抜金額以下の場合、ＣＰＵ１は、警告処理を行う（ステップＳ７０）。この場合、ＣＰＵ１の指令により結果表示部５７にエラー表示をしてもよいし、音声およびＬＥＤ（発光ダイオード）等の光源を利用することにより警告を行ってもよい。なお、印字モードがモードＣ１に設定されているときには、ステップＳ６６の処理は実施されない。
【００８５】
ステップＳ６２において、商品コードが入力されていない場合、ＣＰＵ１は、定金額スイッチ５５ｅが押下された否かを判別する（図１５のステップＳ７１）。定金額スイッチ５５ｅが押下された場合、ＣＰＵ１は、金額が入力されたか否かを判別する（ステップＳ７２）。なお、定金額スイッチ５５ｅが押下された場合には、印字モードが定金額モードに設定され、モードＣ１〜Ｃ３の設定およびモードＤ１〜Ｄ３の設定は無効となる。定金額スイッチ５５ｅが押下されていない場合、ＣＰＵ１は、他のスイッチが押下されたか否かを判別する（ステップＳ７５）。他のスイッチが押下された場合、ＣＰＵ１は、他の処理を行う（ステップＳ７６）。他のスイッチが押下されていない場合、ＣＰＵ１は、定金額スイッチ５５ｅが押下されるまで待機する。
【００８６】
ステップＳ７２において、金額が入力された場合、ＣＰＵ１は、印字スイッチ５５ｄが押下されたか否かを判別する（ステップＳ７３）。金額が入力されていない場合、ＣＰＵ１は、金額が入力されるまで待機する。
【００８７】
ステップＳ７３において、印字スイッチ５５ｄが押下された場合、ＣＰＵ１は、印字部６にラベルを印字するように指示する（ステップＳ７４）。印字スイッチ５５ｄが押下されていない場合、ＣＰＵ１は、他のスイッチが押下されたか否かを判別する（ステップＳ７７）。他のスイッチが押下された場合、ＣＰＵ１は、他の処理を行う（ステップＳ７８）。他のスイッチが押下されていない場合、ＣＰＵ１は、印字スイッチ５５ｄが押下されるまで待機する。
【００８８】
図１６および図１７はＣＰＵ１の金額計算処理を示すフローチャートである。
【００８９】
図１６に示すように、ＣＰＵ１は、印字モードがモードＣ１に設定されているか否かを判別する（ステップＳ８１）。印字モードがモードＣ１に設定されている場合、ＣＰＵ１は、図４の商品マスタから商品コードに対する商品の税抜単価を読み込む（ステップＳ８２）。
【００９０】
次に、ＣＰＵ１は、商品重量および読み込んだ税抜単価を用いて税抜金額を算出する（ステップＳ８３）。
【００９１】
ステップＳ８１において、印字モードがモードＣ１に設定されていない場合、ＣＰＵ１は、印字モードがモードＣ２に設定されているか否かを判別する（図１７のステップＳ８４）。印字モードがモードＣ２に設定されている場合、図５の商品マスタから商品コードに対する商品の税抜単価を読み込む（ステップＳ８５）。
【００９２】
次に、ＣＰＵ１は、読み込んだ税抜単価に（１＋税率）で表される係数を乗算し税込単価を算出するとともに、読み込んだ税抜単価および商品重量より税抜金額を算出する（ステップＳ８６）。
【００９３】
例えば、税抜単価が１００円で上記係数が１．０５の場合、１００円×１．０５より算出される１０５円が税込単価となる。
【００９４】
次に、ＣＰＵ１は、商品マスタから端数処理の種類を読み出し、算出した税込単価に対して所定の端数処理を行う（ステップＳ８７）。
【００９５】
次に、ＣＰＵ１は、端数処理後の税込単価および商品重量を用いて税込金額を算出する（ステップＳ８８）。
【００９６】
ステップＳ８４において、印字モードがモードＣ２に設定されていない場合、ＣＰＵ１は、図６の商品マスタに基づいて商品コードに対する商品の税込単価を読み込む（ステップＳ８９）。
【００９７】
次に、ＣＰＵ１は、商品重量および読み込んだ税込単価を用いて税込金額を算出する（ステップＳ９０）。
【００９８】
上記ラベル印字処理では、ステップＳ６６において、ＣＰＵ１により税込金額が税抜金額よりも大きいか否かが判別されることにより、税率の設定し忘れを防止することができる。
【００９９】
なお、上記ラベル印字処理においては、税抜単価に（１＋税率）で表される係数を乗算し税込単価を算出することとしているが、これに限定されるものではなく、税込金額と商品の重量を用いて逆算的に税込単価を算出することも可能である。例えば、税込金額が２１０円で商品の重量が２００ｇの場合、２１０円／２００ｇ×１００より算出される１０５円が税込単価となる。
【０１００】
上述のように、本実施の形態に係るラベル印字装置１００においては、印字モードをモードＣ１〜Ｃ３のうちいずれかに設定することができる。すなわち、法律等により税抜表示が義務付けられている場合には、印字モードとしてモードＣ１を選択することができる。それにより、ラベルに税抜単価および税抜金額を印字することができるとともに、ラベルのバーコードに税抜金額を表すことができる。
【０１０１】
また、法律等により総額表示が義務付けられている場合には、印字モードとしてモードＣ２またはモードＣ３を選択することができる。この場合、総額表示に対応したキャッシュレジスタのシステムを導入していない店舗は、印字モードとしてモードＣ２を選択することができる。それにより、ラベルに税込単価および税込金額を印字することができるとともに、ラベルのバーコードに税抜金額を表すことができる。その結果、総額表示に対応したキャッシュレジスタのシステムを導入する必要がなく、コストおよび手間がかからない。
【０１０２】
さらに、店舗が総額表示に対応したキャッシュレジスタのシステムを導入した場合においては、印字モードとしてモードＣ３を選択することができる。それにより、ラベルに税込単価および税込金額を印字することができるとともに、ラベルのバーコードに税込金額を表すことができる。その結果、印字モードの切り換えのみでキャッシュレジスタのシステムの変更に対応することができる。
【０１０３】
また、本実施の形態では、ラベルに税込金額、税抜金額、税込単価および税抜単価が表記される場合、例えば、税抜金額および税抜単価は赤色で印字され、税込金額および税込単価は黒色で印字される。それにより、商品を買う客は、税抜単価と税込単価との判別および税抜金額と税込金額との判別を視覚的に行い易くなる。この場合、さらに、例えば赤色が税抜金額および税抜単価であるという旨をＰＯＰ（Point Of Purchase）紙等に表記しておけば、本体価格および本体単価のタイトル印字を省略することができ、それによるラベルの余白部分を他の販促情報の記載に使用することができる。
【０１０４】
本実施の形態においては、入力部５が入力手段に相当し、外部記憶装置７が記憶手段に相当し、印字部６およびＣＰＵ１が印字手段に相当する。
【０１０５】
なお、本実施の形態においては、ラベルのバーコード内に商品の税抜金額または税込金額のどちらか一方を印字することとしたが、これに限定されるものではなく、両方を印字することとしてもよい。
【産業上の利用可能性】
【０１０６】
本発明は、種々のラベルを印字するためのラベル印字装置として有用である。
【図面の簡単な説明】
【０１０７】
【図１】本発明の一実施の形態におけるラベル印字装置の模式的斜視図である。
【図２】図１のラベル印字装置の構成を示すブロック図である。
【図３】入力部の入力スイッチ部の詳細図である。
【図４】商品マスタテーブルに格納されているモードＣ１用の商品マスタの一例を示す説明図である。
【図５】商品マスタテーブルに格納されているモードＣ２用の商品マスタの一例を示す説明図である。
【図６】商品マスタテーブルに格納されているモードＣ３用の商品マスタの一例を示す説明図である。
【図７】ラベル印字装置により印字されるラベルの例を示す図である。
【図８】印字モードがモードＥ１に設定されかつモードＤ１〜Ｄ３および定金額モードのうちいずれかが設定されたときに印字されるラベルの例を示す図である。
【図９】印字モードがモードＥ２に設定されかつモードＤ１〜Ｄ３および定金額モードのうちいずれかが設定されたときに印字されるラベルの例を示す図である。
【図１０】印字モードがモードＥ３に設定されかつモードＤ１〜Ｄ３および定金額モードのうちいずれかが設定されたときに印字されるラベルの例を示す図である。
【図１１】ＣＰＵの第１の初期設定処理を示すフローチャートである。
【図１２】ＣＰＵの第２の初期設定処理を示すフローチャートである。
【図１３】ＣＰＵの第３の初期設定処理を示すフローチャートである。
【図１４】ＣＰＵのラベル印字処理を示すフローチャートである。
【図１５】ＣＰＵのラベル印字処理を示すフローチャートである。
【図１６】ＣＰＵの金額計算処理を示すフローチャートである。
【図１７】ＣＰＵの金額計算処理を示すフローチャートである。
【符号の説明】
【０１０８】
１  ＣＰＵ
４  計量部
５  入力部
６  印字部
５５  入力スイッチ部
５５ａ  ラベル印字切換スイッチ
５５ｂ  金額印字切換スイッチ
５５ｃ  単価印字切換スイッチ
５５ｅ  定金額スイッチ
１００  ラベル印字装置
【図１】
2005059429.tif 000003
【図２】
2005059429.tif 000004
【図３】
2005059429.tif 000005
【図４】
2005059429.tif 000006
【図５】
2005059429.tif 000007
【図６】
2005059429.tif 000008
【図７】
2005059429.tif 000009
【図８】
2005059429.tif 000010
【図９】
2005059429.tif 000011
【図１０】
2005059429.tif 000012
【図１１】
2005059429.tif 000013
【図１２】
2005059429.tif 000014
【図１３】
2005059429.tif 000015
【図１４】
2005059429.tif 000016
【図１５】
2005059429.tif 000017
【図１６】
2005059429.tif 000018
【図１７】
2005059429.tif 000019